(57)【要約】      （修正有）【課題】ロックが簡単に解除できない構成にすると共に、必要なときにはロックを簡単に解除できる構成の、吸着盤を使用したロック装置を提供する。【解決手段】一対の吸着盤１２、１２と、該吸着盤１２、１２同士を連結する所定長さの連結部１３と、吸着盤１２の上部を回転可能に覆う円盤部１４とを少なくとも備えるロック装置１１であって、吸着盤１２は、ドーム状の本体部１５と、該本体部１５の頂部に設けられる頭部１６と、本体部１５の周縁部１７近傍に設けられる剥離用の桿状部１８とが一体に形成され、円盤部１４は、桿状部１８を隠蔽するように設けられると共に、桿状部１８を外部に突出させる小孔２２が形成されている。【選択図】図２
0003148206.tif 000002
【実用新案登録請求の範囲】
【請求項１】
一対の吸着盤と、該吸着盤同士を連結する所定長さの連結部と、前記吸着盤の上部を回転可能に覆う円盤部とを少なくとも備えるロック装置であって、
前記吸着盤は、ドーム状の本体部と、該本体部の頂部に設けられる頭部と、前記本体部の周縁部近傍に設けられる剥離用の桿状部とが一体に形成され、
前記円盤部は、前記桿状部を隠蔽するように設けられると共に、該桿状部を外部に突出させる小孔が形成されていること
を特徴とするロック装置。
【請求項２】
前記連結部は、硬質の合成樹脂材で帯状に形成されていること
を特徴とする請求項１に記載のロック装置。
【考案の詳細な説明】
【技術分野】
【０００１】
本考案は、吸着盤を使用したロック装置に関するものであり、更に詳しくは、開き扉や引き違い扉等に簡易な施錠をするためのロック装置に関するものである。
【背景技術】
【０００２】
従来、この種のロック装置としては、図７に示す構成の器具１が知られている。この器具１は、一対の吸着盤２、２のそれぞれの頭部３に金具４を係止し、これら両方の金具４、４を不伸縮性の紐材５で連結した構成である（特許文献１参照）。
【０００３】
このような構成の器具１は、吸着盤２、２を左右両方の開き扉にそれぞれ吸着させることで、扉の開移動を規制してロック状態となし、扉が開かないようにする。
【０００４】
一方、図８に示すように一般の吸着盤６は、ドーム状の本体部７と、この本体部７の頂部に設けられる頭部８と、本体部７の周縁部９近傍に設けられる突起部１０とが一体に形成される（特許文献２参照）。
【０００５】
突起部１０は、吸着盤６の剥離用摘みの役目を果たすものであり、突起部１０を指で摘んで吸着盤６の剥離方向、即ち、上方に引っ張ることによって、周縁部９の一部が剥がれて、吸着盤６の吸着力が急激に減退し、吸着盤６を吸着面から容易に剥離させることができる。
【特許文献１】特開２００３−９９７５号公報
【特許文献２】実開平７−１３２６号公報
【考案の開示】
【考案が解決しようとする課題】
【０００６】
この従来例の器具１においては、吸着盤２を扉等に吸着させて簡単にロックができる。しかしながら、吸着盤２に突起部１０が設けられている場合は、この突起部１０を引っ張って吸着盤２を剥離させることで簡単にロック状態が解除される。つまり、冷蔵庫等の扉を子供等が勝手に開けないようにロックしたときに、突起部１０を引っ張って簡単に開けられてしまうという不都合がある。
【０００７】
また、吸着盤２に突起部１０が設けられていない場合には、吸着盤２の剥離が容易ではない。
【０００８】
従って、従来例における器具１においては、吸着盤２の剥離を容易にできないようにしてロック状態の解除を難しくすると共に、必要なときには吸着盤２を容易に剥離してロック状態を解除できるようにすることに解決しなければならない課題を有している。
【課題を解決するための手段】
【０００９】
前記従来例の課題を解決する具体的手段として本考案は、一対の吸着盤と、該吸着盤同士を連結する所定長さの連結部と、前記吸着盤の上部を回転可能に覆う円盤部とを少なくとも備えるロック装置であって、前記吸着盤は、ドーム状の本体部と、該本体部の頂部に設けられる頭部と、前記本体部の周縁部近傍に設けられる剥離用の桿状部とが一体に形成され、前記円盤部は、前記桿状部を隠蔽するように設けられると共に、該桿状部を外部に突出させる小孔が形成されていることを特徴とするロック装置を提供するものである。
【００１０】
また、前記連結部は、硬質の合成樹脂材で帯状に形成されていること、；
を含むものである。
【考案の効果】
【００１１】
本考案に係るロック装置は、一対の吸着盤と、該吸着盤同士を連結する所定長さの連結部と、前記吸着盤の上部を回転可能に覆う円盤部とを少なくとも備えるロック装置であって、前記吸着盤は、ドーム状の本体部と、該本体部の頂部に設けられる頭部と、前記本体部の周縁部近傍に設けられる剥離用の桿状部とが一体に形成され、前記円盤部は、前記桿状部を隠蔽するように設けられると共に、該桿状部を外部に突出させる小孔が形成されていることによって、桿状部が円盤部で隠蔽されるので指で引っ張れない。即ち、吸着盤を容易に剥離できないので、ロック状態を簡単に解除することができない。
一方、円盤部を適宜に回転させて小孔から桿状部を外部に突出させれば、桿状部を引っ張ることができる。従って、吸着盤を剥離させてロック状態を簡単に解除できるという優れた効果を奏する。
【００１２】
また、連結部は、硬質の合成樹脂材で帯状に形成されていることによって、連結部が折れ曲がらないので、ロック装置を扉等に取り付けたときにロック状態が安定するという優れた効果を奏する。
【考案を実施するための最良の形態】
【００１３】
次に、本発明の実施の形態について図面を参照しながら説明する。まず、図１及び図２において、符号１１はロック装置を示し、このロック装置１１は、一対の吸着盤１２、１２と、この吸着盤１２、１２同士を連結する所定長さの連結部１３と、吸着盤１２の上部を回転可能に覆う円盤部１４とから構成される。
【００１４】
吸着盤１２は、本体部１５と、この本体部１５の頂部に設けられる頭部１６と、本体部１５の周縁部１７の近傍に設けられる剥離用の桿状部１８とが、ゴム材あるいは合成樹脂材等で一体成型されている。
【００１５】
本体部１５は、円形のドーム状に形成されると共に、その下面側に吸着面が形成されている。
【００１６】
頭部１６は、略正方形状の基部１６ａと、この基部１６ａの上部に形成される周溝部１６ｂと、この周溝部１６ｂの上部に形成される円形部１６ｃとからなる。
【００１７】
桿状部１８は、棒状に形成されると共に、後述する小孔２２から突出する所定の長さに形成される。この桿状部１８を指で摘んで吸着盤１２の剥離方向、即ち、上方に引っ張ることによって、周縁部１７の一部が剥がれて、吸着盤１２の吸着力が急激に減退し、吸着盤１２を吸着面から容易に剥離させることができる。
【００１８】
連結部１３は、硬質の合成樹脂材で所定幅の帯状に形成される。このように形成されることによって連結部１３が折れ曲がらないので、ロック装置１１を扉等に取り付けたときにロック状態が安定する。また、連結部１３の両端部には、正方形状の四角孔１９が形成されている。この四角孔１９は頭部１６の基部１６ａに嵌め込まれて、連結部１３と吸着盤１２との位置決めの役目を果たす。
【００１９】
円盤部１４は、吸着盤１２の上部を覆う大きさに形成されていると共に、桿状部１８を隠蔽するように設けられる（図１及び図５参照）。円盤部１４の中央部には円形孔２０が設けられており、この円形孔２０が頭部１６に回転可能な状態で遊嵌している。また、円盤部１４の周縁部２１は所定幅だけ下部側に垂下している。
【００２０】
円盤部１４の周縁部２１には小孔２２が形成されている。円盤部１４を適宜に回転させて小孔２２と桿状部１８との位置を一致させ、小孔２２から桿状部１８を外部に突出させることができる（図６参照）。突出した桿状部１８を指で摘んで上方に引っ張って、吸着盤１２を剥離できる。
【００２１】
円形孔２０から突出した頭部１６には、抜け止め用のキャップ部材２３が装着される。キャップ部材２３は、図２に示すように、一対の半体部２３ａ、２３ｂを合体させて形成する。半体部２３ａ、２３ｂの接合面には、図３（イ）（ロ）及び図４（イ）（ロ）に示すように、それぞれ凹部２４、２４が形成されており、この凹部２４、２４に円形部１６ｃを嵌合させる。
【００２２】
また、一方の半体部２３ａの接合面には、図３（イ）（ロ）に示すように、嵌合凹部２５が３箇所に形成されており、他方の半体部２３ｂの接合面には、図４（イ）（ロ）に示すように、嵌合凸部２６が３箇所に形成されており、各嵌合凹部２５と各嵌合凸部２６とを嵌め合わせて、頭部１６を保持した状態でキャップ部材２３を装着する。
【００２３】
以上のように構成されるロック装置１１は、吸着盤１２、１２を左右両方の開き扉等にそれぞれ吸着させることで、扉の開移動を規制してロック状態となし、扉が開かないようにする。この場合、桿状部１８が円盤部１４で隠蔽されるので吸着盤１２を剥離することができない（図１及び図５参照）。従って、冷蔵庫の扉を子供等が勝手に開けないようにロックする場合等に最適である。
【００２４】
また、円盤部１４を適宜に回転させて小孔２２から桿状部１８を外部に突出させれば、桿状部１８を引っ張ることができるので、必要に応じて吸着盤１２を剥離させ、ロック状態を簡単に解除できる（図６参照）。
【図面の簡単な説明】
【００２５】
【図１】本考案に係るロック装置１１の斜視図である。
【図２】本考案に係るロック装置１１を、各部材に分離して示した斜視図である。
【図３】（イ）半体部２３ａの正面図である。（ロ）半体部２３ａの側面図である。
【図４】（イ）半体部２３ｂの正面図である。（ロ）半体部２３ｂの側面図である。
【図５】桿状部１８を隠蔽した状態の、円盤部１４の斜視図である。
【図６】小孔２２から桿状部１８を突出させた状態の、円盤部１４の斜視図である。
【図７】従来例に係る器具１の斜視図である。
【図８】従来例に係る吸着盤６の斜視図である。
【符号の説明】
【００２６】
１    器具
２    吸着盤
３    頭部
４    金具
５    紐材
６    吸着盤
７    本体部
８    頭部
９    周縁部
１０  突起部
１１  ロック装置
１２  吸着盤
１３  連結部
１４  円盤部
１５  本体部
１６  頭部
１６ａ基部
１６ｂ周溝部
１６ｃ円形部
１７  周縁部
１８  桿状部
１９  四角孔
２０  円形孔
２１  周縁部
２２  小孔
２３  キャップ部材
２３ａ、２３ｂ半体部
２４  凹部
２５  嵌合凹部
２６  嵌合凸部
【図１】
0003148206.tif 000003
【図２】
0003148206.tif 000004
【図３】
0003148206.tif 000005
【図４】
0003148206.tif 000006
【図５】
0003148206.tif 000007
【図６】
0003148206.tif 000008
【図７】
0003148206.tif 000009
【図８】
0003148206.tif 000010